(57)【要約】【課題】  自動車のステアリングホイルに簡単に着脱できるステアリングデスク装置を提供すること。【解決手段】  上部枠体２Ａと下部枠体３Ａの間に可縮挟持体を設けそれぞれの爪２Ｂ、爪３Ｂをステアリングホイル１Ａ外側に引っ掛ける、ステアリングデスク６Ａの先端下部スライドヒンジ５Ａと、該ステアリングデスク６Ａ中央付近下部のブラケット６Ｂのクレビスヒンジ６Ｃとシリンダ−４Ａ上部のクレビスヒンジ４Ｃと連結リンク７Ａがピン８で蝶着する、前記スライドヒンジ５Ａを下げて該ステアリングデスク６Ａを可動俯仰させる、止めピン５Ｂを枠２Ｃの任意の窪み２Ｄに係止させる、前記テアリングホイル１Ａ上に簡易デスクを形成する。【選択図】図３
2006298340.tif 000002
【特許請求の範囲】
【請求項１】
ステアリングホイル外側に引っ掛ける爪を持った上部枠体と、該上部枠体と引き合う弾性体を挟持するシリンダーを持った前記ステアリングホイル外側に引っ掛ける爪がある下部枠体と、前記上部枠体の枠を上下移動可能に挿設したスライドヒンジがピンで蝶着したステアリングデスク先端下部と、該ステアリングデスク中央近傍下部のクレビスヒンジと前記シリンダー上部のクレビスヒンジと連結リンクをピンで蝶着し、前記スライドヒンジを操作移動しステアリングデスクを俯仰させ枠の窪みに止めピンを係止させ、ステアリングホイル上に簡易デスクを形成させることを特徴とするステアリングデスク装置。
【発明の詳細な説明】
【技術の分野】
【０００１】  本発明は自動車のステアリングホイルに装着する簡易デスクに関する。
【背景技術】
【０００２】  従来、自動車を運転して荷物の集配、顧客回りの営業に簡単な伝票、資料の整理メモ又は、ノ−トパソコンへ簡単なデ−タの打ち込み等、自動車の中で整理しなければならないことや、休息中に飲食することがある。【０００３】  しかし、これらの作業のときは硬質のボ−ドや本を下敷きにし、クリップボ−ドやノートパソコンを膝の上に乗せ、又はステアリングホイルに乗せて行うような、運転者に酷な作業を強いているのが現状である。【０００４】  又、休息中、自動車室内の水平部分が無い場所での飲食時は、食品、ドリンク類の置き場所に苦慮し、時にはこれらを零したりすることがある。【０００５】  そのため作業効率の低下やミスが多くなり、きわめて非効率的な状況となっていて、休息で飲食時は食品、ドリンク類を零すことに気をつかいゆっくり休むことができなかった。【０００６】
【特許文献１】  特開平１１−１５７２６９
【発明の開示】
【発明が解決しようとする課題】
【０００７】  以上述べたように、運転者に停車した自動車内で伝票や書類の整理記入、又はノ−トパソコンの使用ができ、飲食時は食品ドリンク類の置き場所となる、ステアリングホイルに簡単に着脱できる簡易デスク装置を提供する。
【問題を解決するための手段】
【０００８】  上記目的を達成するため、本発明はステアリングホイル外側に引っ掛ける爪を持った上部枠体と、該上部枠体と引き合う弾性体を挟持するシリンダーを持った前記ステアリングホイル外側に引っ掛ける爪がある下部枠体と、前記上部枠体の枠を上下移動可能に挿設したスライドヒンジがピンで蝶着したステアリングデスク先端下部と、該ステアリングデスク中央近傍下部のクレビスヒンジと前記シリンダー上部のクレビスヒンジと連結リンクをピンで蝶着し、前記スライドヒンジを操作移動しステアリングデスクを俯仰させ枠の窪みに止めピンを係止させ、ステアリングホイル上に簡易デスクを形成させることを特徴とするステアリングデスク装置を提供する。
【０００９】  スライドヒンジの止めピンを枠の任意の窪みに係止させるようにしたから、ステアリングデスクの俯仰角度を適度に傾斜させことができ、ノートパソコンの使用もできる。
【００１０】  また、スライドヒンジの止めピンを枠の任意の窪みに係止させるようにしたから、ステアリングデスクの俯仰角度を水平にさせ、飲食のドリンク類の置き場にも使用できる。
【００１１】  ステアリングホイル外側に上部枠体と下部枠体を引っ掛ける爪を設け、シリンダーの弾性体を挟持して引き合うようにしたから容易に着脱ができる。
【発明を実施するための最良の形態】
【００１２】  この発明の実施形態を図面に基づき説明する、図１に示すようにステアリングホイル１Ａに引っ掛ける爪２Ｂを設けた上部枠体２Ａと、爪３Ｂとシリンダー４Ａを設けた下部枠体３Ａに、枠２Ｃの先端は該シリンダー４Ａを貫通し下端部にピストン２Ｅを設ける、該ピストン２Ｅと該シリンダー４Ａの間に弾性体例えばコイルスプリング４Ｂを挟持している、該ピストン２Ｅと該シリンダー４Ａを設ける位置を上部、下部枠体が逆でも良い。【００１３】  上部枠体２Ａの枠２Ｃを上下移動可能に挿設したスライドヒンジ５Ａと、先端下部のブラケット６Ｂをピン８で蝶着したステアリングデスク６Ａと、該ステアリングデスク６Ａ中央近傍下部のクレビスヒンジ６Ｃとシリンダー４Ａ上部のクレビスヒンジ４Ｃと連結リンク７Ａをピン８で蝶着している。【００１４】  スライドヒンジ５Ａを操作移動しステアリングデスク６Ａを俯仰させ、枠２Ｃの任意の窪み２Ｄに止めピン５Ｂを係止させステアリングホイル１Ａ上に簡易デスクを形成する構造である。
【実施例】
【００１５】  次に上記構成の実施形態におけるステアリングデスクの展開工程を図に基づき説明する。【００１６】  車を安全な場所に駐車し、エンジンを停止して運転座席を一杯後部へ移動する。【００１７】  図２に示すようにステアリングホイル１Ａの上部１Ｂに上部枠体２Ａに設けた爪２Ｂを引っ掛ける、次に図４に示す下部枠体３Ａを引き下げ、図２に示すシリンダー４Ａ内のコイルスプリング４Ｂを圧縮させ、ステアリングホイル１Ａ下部１Ｃに下部枠体３Ａの爪３Ｂを引っ掛ける、枠体はコイルスプリング４Ｂの反発力で前記ステアリングホイル１Ａ上に堅固に設置する。【００１８】  図４は、ステアリングホイル１Ａに装着した正面図で、上部枠体２Ａは該ステアリングホイル１Ａの上部１Ｂに爪２Ｂを、下部枠体３Ａの爪３Ｂを前記ステアリングホイル１Ａの下部１Ｃにそれぞれ引っ掛ける。【００１９】  図３に示すように、上部枠体２Ａのスライドヒンジ５Ａを操作してステアリングデスク６Ａを下げる、ピン８Ａで蝶着している該スライドヒンジ５Ａと該ステアリングデスク６Ａ先端下部のブラケット６Ｂと、シリンダー４Ａ上部のクレビスヒンジ４Ｃと、前記ステアリングデスク６Ａ中央近傍下部のクレビスヒンジ６Ｃと連結リンク７Ａがピン８Ａを支点として俯仰し、前記スライドヒンジ５Ａの止めピン５Ｂを枠２Ｃの窪み２Ｄの任意の位置に係止させ、ステアリングホイル１Ａ上に簡易デスクを形成する。
【発明の効果】
【００２０】  以上、自動車内で簡単な伝票、資料の整理メモ又は、ノートパソコンへ簡単なデ−タの打ち込みなど、疲れることなく極めて効率的な作業ができミスが少なくなる。
【００２１】  休息で飲食時、食品ドリンク類の置き場所に苦慮し零すことに気をつかうことなくゆっくり休むことができる。
【００２２】  上部枠体と下部枠体を引き合う作用にコイルスプリングを使用しているから操作が簡単で迅速確実な着脱ができる。
【００２３】  シリンダー内の弾性体可縮範囲を大きくしているから小型、大型用自動車の小口径から大口径のステアリングホイルに数種の装置で対応できる。
【００２４】  図３に示すように、ステアリングデスク６Ａ上面に凹み６Ｄ、下端部に突起延設６Ｅがあるから書類、筆記用具、コップ、ドリンクが転げ落ちない。
【産業上の利用可能性】
【００２５】  本発明に関わるステアリングデスクは、自動車の付属品として量産することが可能なため、産業上の利用可能性を有する。
【図面の簡単な説明】
【００２６】
【図１】本発明のステアリングデスクとステアリングホイルの側面図である。
【図２】本発明のステアリングデスクとステアリングホイルの装着側面図である。
【図３】本発明のステアリングデスクとステアリングホイルの実施形態作用の側面図である。
【図４】本発明のステアリングデスクとステアリングホイルの装着正面図である。
【符号の説明】
【００２７】１Ａ・・・ステアリングホイル
１Ｂ・・・上部
１Ｃ・・・下部
２Ａ・・・上部枠体
２Ｂ・・・爪
２Ｃ・・・枠
２Ｄ・・・窪み
２Ｅ・・・ピストン
３Ａ・・・下部枠体
３Ｂ・・・爪
４Ａ・・・シリンダー
４Ｂ・・・コイルスプリング
４Ｃ・・・クレビスヒンジ
５Ａ・・・スライドヒンジ
５Ｂ・・・止めピン
６Ａ・・・ステアリングデスク
６Ｂ・・・ブラケット
６Ｃ・・・クレビスヒンジ
６Ｄ・・・凹み
６Ｅ・・・突起延設
７Ａ・・・連結リンク
８Ａ・・・ピン
【図１】
2006298340.tif 000003
【図２】
2006298340.tif 000004
【図３】
2006298340.tif 000005
【図４】
2006298340.tif 000006